(57)【要約】      （修正有）【課題】窒素酸化物や濃硝酸の発生を抑制でき、電気の劣化や破壊を防止することが可能なオゾン発生用電極の提供。【解決手段】円筒形のセラミック絶縁体１の内部に、耐オゾン性のあるステンレス等の導電性金属でスパイラル状に形成したコイル２を設置し、円筒形のセラミック絶縁体の外部に、耐オゾン性のあるステンレス等の導電性金属で製作されたパイプを被せた円筒形オゾン発生用電極。円筒形のセラミック絶縁体の内部に設置されたスパイラル状のコイル電極に４０００〜５０００ボルトの高電圧を印加し、円筒形のセラミック絶縁体の外部に設置された導電性金属のパイプに接地電極（−）を接続して、円筒形セラミック絶縁体の内部で、オゾンを発生させる構造。【選択図】図１
2007217263.tif 000002
【特許請求の範囲】
【請求項１】
オゾン発生用電極を円筒形に形成し、円筒形のセラミック絶縁体の内部に、耐オゾン性のあるステンレス等の導電性金属でスパイラル状に形成したコイルを設置し、円筒形のセラミック絶縁体の外部に、耐オゾン性のあるステンレス等の導電性金属で製作されたパイプを被せた円筒形オゾン発生用電極。
円筒形のセラミック絶縁体の内部に設置されたスパイラル状のコイル電極に４０００〜５０００ボルトの高電圧を印加し、円筒形のセラミック絶縁体の外部に設置された導電性金属のパイプに接地電極（−）を接続して、円筒形セラミック絶縁体の内部で、オゾンを発生させる構造を特徴とする円筒形オゾン発生用電極。
【発明の詳細な説明】
【技術分野】
【０００１】本発明は、高電圧発生回路により直流パルス電圧、又は、交流電圧を印加して特定周波数の断続的高周波電圧を発生させて、円筒形オゾン発生体により酸素原子をイオン化させることにより、オゾンを発生させるオゾン発生装置に使用する円筒形オゾン発生用電極に関するものである。
【背景技術】
【０００２】オゾン発生体は、一般的にはセラミック平板の上面にプラス電極を、下面にマイナス電極を印刷して、高電圧を印加してオゾンを発生する方式、又、ネオン管の外周に導電性金属でコイル状の電極を設置して、高電圧を印加してオゾンを発生する方式等が実施されている。【０００３】これらの方式は電極に高電圧を印加して電極間に高電界を発生させ酸素原子をイオン化させるため、その構造から空気中の窒素も同時に酸化させ、窒素酸化物（ＮＯｘ）等の不純物を発生させる欠点がある。【０００４】これらの不純物は人体に害を与える物質である。
【発明の開示】
【発明が解決しようとする課題】
【０００５】解決しようとする問題点は、従来の方法では空気を原料としてオゾン発生用電極に高電圧直流パルス電圧を印加して、酸素原子をイオン化してオゾンを発生させるとき、オゾンのほかに  窒素酸化物（ＮＯｘ）や濃硝酸（ＨＮＯ３）などの不純物を同時に発生させてしまう。これらの物質は人に害を与え、オゾン発生用電極を劣化させる。【０００６】本発明は、このような問題点を解決するために、空気中の窒素やオゾン発生中に生じる濃硝酸（ＨＮＯ３）が空気中の水分の影響を受けにくい構造で、高電圧直流パルス電圧を印加して、酸素原子を選択的にイオン化させ、オゾンを効果的に発生させることを可能にした円筒形オゾン発生用電極を提供することを目的とする。
【課題を解決するための手段】
【０００７】本発明は上記課題に鑑み発明されたもので、オゾンを発生させる高電圧電極（＋）を耐オゾン性のあるステンレス等の導電性金属でスパイラル状に形成したコイルを円筒形のセラミック絶縁体の内部に密着して設置し、円筒形のセラミック絶縁体の外側に、耐オゾン性のあるステンレス等の導電性金属で製作されたパイプを密着して被せた構造を特徴とする円筒形オゾン発生用電極。【０００８】本発明はオゾンを発生させるオゾン発生体の構造を円筒形にすることにより、円筒形セラミック絶縁体の内部でスパイラル状に形成されたコイル電極によりオゾンを発生させることにより空気中の窒素や水分の影響を受けにくい円筒形オゾン発生用電極の構造を可能とし、窒素酸化物（ＮＯｘ）や濃硝酸（ＨＮＯ３）等の有害物質を発生しにくいようにしたものである。
【発明の効果】
【０００９】本発明の円筒形オゾン発生体は円筒形のセラミック絶縁体の内部に設置されたスパイラル状のコイル電極に４０００〜５０００ボルトの高電圧を印加し、オゾンを発生させることにより空気中の窒素や水分と反応して窒素酸化物（ＮＯｘ）を発生したり、濃硝酸（ＨＮＯ３）を発生させることが減少して、円筒形オゾン発生体の電極を劣化させたり、破壊することがない。【００１０】円筒形オゾン発生体は不純物がオゾン発生面に付着しても、アルコール等を使用して、ふき取れば簡単に清掃でき、簡単にクリーンな、元の円筒形オゾン発生用電極に復元できる。【００１１】又、従来のオゾン発生用電極の湿気に弱い欠点を解消し、電極の酸化に対する弱さも改善した、信頼性の高い、円筒形オゾン発生用電極となっている。【００１２】スパイラル状のコイル電極のオゾン発生用電極（＋）は耐オゾン性のあるステンレス等の導電性金属で製作されていて、コストは非常に安価なものとなっている。【００１３】パイプ状のオゾン発生用電極（−）は耐オゾン性のあるステンレス等の導電性金属で製作されていて、コストは非常に安価なものとなっている。
【発明を実施するための最良の形態】
【００１４】従来のオゾン発生体の様なセラミック絶縁体への導電性電極の印刷やメッキ、焼結等のような特殊技術を必要とせず、本発明の円筒形オゾン発生体は円筒形セラミック絶縁体の内部にステンレス製のスパイラル状のコイル電極（＋）を設置し、外側にステンレス製のパイプ電極（−）を被せるだけで完成することができる円筒形オゾン発生用電極である。
【実施例】
【００１５】本発明の実施例を図面に基ずいて説明する。
円筒形オゾン発生用電極は図１〜図５に示すように、円筒形セラミック絶縁体１、スパイラル状コイル高電圧電極（＋）２、パイプ状接地用電極（−）３、高電圧（＋）接続用端子４、接地（−）接続用端子５とから構成されている。【００１６】ここで、図１〜図５基ずいて詳細に説明する。
円筒形セラミック絶縁体１はアルミナ等のセラミックで製作されている。
スパイラル状コイル高電圧電極（＋）２はステンレス等の耐オゾン性のある導電性金属で製作されている。
パイプ状接地用電極（−）３はステンレス等の耐オゾン性のある導電性金属で製作されている。
高電圧（＋）接続用端子４はスパイラル状コイル高電圧電極（＋）２と同一材料で製作されている。
接地（−）接続用端子５はパイプ状接地用電極（−）３と同一材料で製作されている。【００１７】以上のように構成された本発明は円筒形セラミック絶縁体１の内接する内面にスパイラル状コイル高電圧電極（＋）２を設置し、円筒形セラミック絶縁体１の外側にパイプ状接地用電極（−）を密着して被せて、円筒形オゾン発生用電極が構成されている。
［効果］【００１８】以上のように構成された本発明はオゾンを発生する場所を円筒形セラミックの内部に設定したことにより紫外線の発生や窒素酸化物（ＮＯｘ），濃硝酸（ＨＮＯ３）等の発生を減少させ、オゾン発生用電極を劣化させることがない。【００１９】さらに本発明のすばらしいことは、スパイラル状コイル高電圧電極（＋）は耐オゾン性のあるステンレス等の導電性金属で製作され、パイプ状接地用電極（−）は耐オゾン性のあるステンレス等の導電性金属で製作されているため、オゾン発生用電極が汚れても、アルコール、汚れ落としの洗剤等を使用して、拭き取れば、簡単に清掃でき、クリーンな元の電極に復元できる。【００２０】本発明の円筒形オゾン発生用電極は、従来のオゾン発生用電極の脆さを解消し、且つ、電極の清掃も簡単で、電極面の酸化による劣化を改善し、オゾン発生量の減少を防ぎ、長寿命で、信頼性の高い円筒形オゾン発生用電極となっている。【００２１】又、円筒形オゾン発生用電極の製作に特殊な材料や技術を必要とせず、簡単な構造であるため、製造コストは安価なものである。【００２２】さらにすばらしいことは、円筒形オゾン発生用電極は形状を円筒形にしたことにより、オゾンを発生させる容積が、従来のオゾン発生用電極が必要とする容積の２分の１以下にできたことである。
【図面の簡単な説明】
【００２３】
【図１】本実施例の円筒形オゾン発生用電極の外観を示す図である。
【図２】本実施例の円筒形オゾン発生用電極の縦断面図を示す図である。
【図３】本実施例の円筒形セラミック絶縁体の外観を示す図である。
【図４】本実施例のスパイラル状コイル高電圧電極（＋）の外観を示す図である。
【図５】本実施例のパイプ状接地用電極（−）の外観を示す図である。
【符号の説明】
【００２４】１．円筒形セラミック絶縁体
２．スパイラル状コイル高電圧電極（＋）
３．パイプ状接地用電極（−）
４．高電圧（＋）接続用端子
５．接地（−）接続用端子
【図１】
2007217263.tif 000003
【図２】
2007217263.tif 000004
【図３】
2007217263.tif 000005
【図４】
2007217263.tif 000006
【図５】
2007217263.tif 000007